(57)【要約】【課題】保守作業や通行者が在室中の途中で運用が開始されて通行不正エラーが発生しても、通行者に対して現在の在室状況を合わせ込み、通行不正エラーを復旧することのできる入退室管理システムを実現する。【解決手段】通行許可判定手段１２は、外部より在室情報管理手段８における在室位置情報が初期化されたとの通知を受けたとき、個人情報読取手段９の各個人識別情報２ごとの読み取りが在室位置情報の初期化通知後の初回である場合に、照合を行うことなく個人識別情報２の入力された個人情報識別手段９に対応する開閉扉１４を通行可能と判定し、在室情報管理手段８は初期化通知後の初回の個人情報読取手段９により読み取られた個人識別情報２に基づいて、該個人識別情報の保有者１の在室位置情報の管理を復旧する。【選択図】　　　　図１
2004094328.tif 000002
【特許請求の範囲】
【請求項１】
複数の区画を仕切る各開閉扉に対応して設けられ、入力された個人識別情報を読み取る複数の個人情報読取手段と、
前記開閉扉の開閉動作と、前記個人情報読取手段により読み取られた個人識別情報とに基づいて、該個人識別情報の保有者の位置情報である在室位置情報を管理する在室情報管理手段と、
前記在室情報管理手段により管理されている各個人識別情報ごとの在室情報位置の履歴を格納した在室位置履歴データベースと、
前記開閉扉の通行順序を前記個人識別情報毎に予め設定した開閉扉設定情報を格納した開閉扉設定データベースと、
前記在室位置履歴データベースに格納されている前記保有者の在室位置情報の履歴と、前記開閉扉設定データベースに格納されている開閉扉設定情報とを照合させることにより次に通行可能である有効開閉扉を特定し、個人識別情報の入力のあった前記個人情報読取手段に対応する開閉扉が前記有効開閉扉であるか否かにより通行の可否を判定する通行許可判定手段と、
前記個人情報読取手段による個人識別情報の読み取りがあったとき、該個人情報読取手段に対応する開閉扉が前記通行許可判定手段により通行可能であると判定されたときのみ、該有効開閉扉を開閉動作させる扉制御手段と
を備えた入退室管理システムにおいて、
前記通行許可判定手段は、外部より前記在室情報管理手段における前記在室位置情報が初期化されたとの通知を受けたとき、前記個人情報読取手段の各個人識別情報ごとの読み取りが前記在室位置情報の初期化通知後の初回である場合に、前記照合を行うことなく個人識別情報の入力された個人情報識別手段に対応する開閉扉を通行可能と判定し、
前記在室情報管理手段は、前記初期化通知後の初回の前記個人情報読取手段により読み取られた個人識別情報に基づいて、該個人識別情報の保有者の在室位置情報の管理を復旧する
ことを特徴とする入退室管理システム。
【請求項２】
複数の区画を仕切る各開閉扉に対応して設けられ、入力された個人識別情報を読み取る複数の個人情報読取手段と、
前記開閉扉の開閉動作と、前記個人情報読取手段により読み取られた個人識別情報とに基づいて、該個人識別情報の保有者の位置情報である在室位置情報を管理する在室情報管理手段と、
前記在室情報管理手段により管理されている各個人識別情報ごとの在室情報位置の履歴を格納した在室位置履歴データベースと、
前記開閉扉の通行順序を前記個人識別情報毎に予め設定した開閉扉設定情報を格納した開閉扉設定データベースと、
前記在室位置履歴データベースに格納されている前記保有者の在室位置情報の履歴と、前記開閉扉設定データベースに格納されている開閉扉設定情報とを照合させることにより次に通行可能である有効開閉扉を特定し、個人識別情報の入力のあった前記個人情報読取手段に対応する開閉扉が前記有効開閉扉であるか否かにより通行の可否を判定する通行許可判定手段と、
前記個人情報読取手段による個人識別情報の読み取りがあったとき、該個人情報読取手段に対応する開閉扉が前記通行許可判定手段により通行可能であると判定されたときのみ、該有効開閉扉を開閉動作させる扉制御手段と
を備えた入退室管理システムにおいて、
前記通行許可判定手段は、所定時間内に所定回数以上の通行不可を判定したとき、前記個人情報読取手段により読み取られた個人識別情報が前記通行不可を発生した個人識別情報である場合に、前記照合を行うことなく初回のみ個人識別情報の入力された個人識別読取手段に対応する開閉扉を通行可能であると判定し、前記在室情報管理手段は、前記通行許可判定手段が所定時間内に所定回数以上の通行不可を判定した後の初回の前記個人情報読取手段により読み取られた個人識別情報に基づいて、該個人識別情報の保有者の在室位置情報の管理を復旧する
ことを特徴とする入退室管理システム。
【発明の詳細な説明】
【０００１】
【発明の属する技術分野】
この発明は、ビル内の複数の部屋等における通行制御を行う入退室管理システムに関するものである。
【０００２】
【従来の技術】
図５は従来の入退室管理システムの機能を説明する概念図である。図５において、１は通行者、２は通行者１を識別するためのカード・指紋・暗証番号等の個人識別情報、３は入退室管理の対象である部屋等の区画群、４〜７は通行者１が通行する順序が予め設定された部屋等の区画Ａ〜Ｄ、８は現在の各区画４〜７内における在室者の状況である在室位置情報（在室情報管理データ）を管理している在室情報管理手段である。
【０００３】
上記構成における入退室管理システムの動作、即ち、通行順序制御について、図６に示すフローチャートを用いて説明する。
図６において、ステップＳ６１では、通行者１は区画Ａ４に対する通行操作（カード・指紋・暗証番号等の入力）をカードリーダー等の個人情報読取装置に対して行い、区画Ａ４内へ入室する。このとき、通行者１に対する在室情報管理手段８における在室情報管理データは更新され、通行者１は区画Ａ４に在室していることになる。
【０００４】
ステップＳ６２では、通行者１は区画Ｂ５に対する通行操作（カード・指紋・暗証番号等の入力）を個人情報読取装置に対して行い、区画Ｂ５へ入室する。このとき、通行者１に対する在室情報管理手段８における在室情報管理データは更新され、通行者１は区画Ｂ５に在室していることになる。
【０００５】
ステップＳ６３では、入退室管理システムの保守作業に伴い初期化を行う。このとき、通行者１に対する在室情報管理手段８における在室情報管理データはクリアされる。したがって、ステップＳ６４では、通行者１はステップＳ６３の保守作業完了後に区画Ｃ６に対する通行操作（カード・指紋・暗証番号等の入力）を行うと通行不正エラーが発生し、区画Ｃ６へ入室できない。
【０００６】
ステップＳ６５では、保守員が通行者１毎に対して復旧操作を行い、その後に通常な状態、即ち、保守作業前の通行順序制御の状態へ復旧することができる。このとき、通行者１に対する在室情報管理手段８における在室情報管理データは更新され、通行者１は区画Ｄ５に存在していることになる。
【０００７】
【発明が解決しようとする課題】
上記のような従来の通行順序制御機能を有した入退室管理システムでは、システムの初期化を伴う保守作業や、通行者１が在室中の途中で運用が開始になると通行者１に対して通行不正エラーが発生するといった問題がある。
【０００８】
また、多数の通行者１が区画内に存在している場合には、保守員による復旧操作もそれだけ多くなるといった問題もある。
【０００９】
この発明は、以上のような問題を解決するためになされたものであり、保守作業や通行者１が在室中の途中で運用が開始されて通行不正エラーが発生しても、通行者１に対して現在の在室状況を合わせ込み、通行不正エラーを復旧することのできる入退室管理システムを実現することを目的とする。
【００１０】
【課題を解決するための手段】
この発明に係る入退室管理システムは、複数の区画を仕切る各開閉扉に対応して設けられ、入力された個人識別情報を読み取る複数の個人情報読取手段と、前記開閉扉の開閉動作と、前記個人情報読取手段により読み取られた個人識別情報とに基づいて、該個人識別情報の保有者の位置情報である在室位置情報を管理する在室情報管理手段と、前記在室情報管理手段により管理されている各個人識別情報ごとの在室情報位置の履歴を格納した在室位置履歴データベースと、前記開閉扉の通行順序を前記個人識別情報毎に予め設定した開閉扉設定情報を格納した開閉扉設定データベースと、前記在室位置履歴データベースに格納されている前記保有者の在室位置情報の履歴と、前記開閉扉設定データベースに格納されている開閉扉設定情報とを照合させることにより次に通行可能である有効開閉扉を特定し、個人識別情報の入力のあった前記個人情報読取手段に対応する開閉扉が前記有効開閉扉であるか否かにより通行の可否を判定する通行許可判定手段と、前記個人情報読取手段による個人識別情報の読み取りがあったとき、該個人情報読取手段に対応する開閉扉が前記通行許可判定手段により通行可能であると判定されたときのみ、該有効開閉扉を開閉動作させる扉制御手段とを備えた入退室管理システムにおいて、前記通行許可判定手段は、外部より前記在室情報管理手段における前記在室位置情報が初期化されたとの通知を受けたとき、前記個人情報読取手段の各個人識別情報ごとの読み取りが前記在室位置情報の初期化通知後の初回である場合に、前記照合を行うことなく個人識別情報の入力された個人情報識別手段に対応する開閉扉を通行可能と判定し、前記在室情報管理手段は、前記初期化通知後の初回の前記個人情報読取手段により読み取られた個人識別情報に基づいて、該個人識別情報の保有者の在室位置情報の管理を復旧するものである。
【００１１】
また、前記通行許可判定手段は、所定時間内に所定回数以上の通行不可を判定したとき、前記個人情報読取手段により読み取られた個人識別情報が前記通行不可を発生した個人識別情報である場合に、前記照合を行うことなく初回のみ個人識別情報の入力された個人識別読取手段に対応する開閉扉を通行可能であると判定し、前記在室情報管理手段は、前記通行許可判定手段が所定時間内に所定回数以上の通行不可を判定した後の初回の前記個人情報読取手段により読み取られた個人識別情報に基づいて、該個人識別情報の保有者の在室位置情報の管理を復旧するものである。
【００１２】
【発明の実施の形態】
実施の形態１．
図１は、この発明の実施の形態１に係る入退室管理システムの構成図である。図１において、９は区画４〜７を仕切る各開閉扉１４に対応して設けられ、入力された個人識別情報２を読み取るカードリーダー等の複数の個人情報読取手段、８は開閉扉１４の開閉動作と、個人情報読取手段９により読み取られた個人識別情報とに基づいて、個人識別情報の保有者（通行者）１の位置情報である在室位置情報（在室情報管理データ）を管理する在室情報管理手段である。
【００１３】
また、１０は在室情報管理手段８により管理されている各個人識別情報２ごとの在室情報位置の履歴を格納した在室位置履歴データベース、１１は開閉扉１４の通行順序を個人識別情報２毎に予め設定した開閉扉設定情報を格納した開閉扉設定データベースである。
【００１４】
１２は在室位置履歴データベース１０に格納されている通行者１の在室位置情報の履歴と、開閉扉設定データベース１１に格納されている開閉扉設定情報とを照合させることにより次に通行可能である有効開閉扉を特定し、個人識別情報２の入力のあった個人情報読取手段９に対応する開閉扉１４が有効開閉扉であるか否かにより通行の可否を判定する通行許可判定手段である。
【００１５】
さらに、１３は個人情報読取手段９による個人識別情報２の読み取りがあったとき、個人情報読取手段９に対応する開閉扉１４が通行許可判定手段１２により通行可能であると判定されたときのみ、有効開閉扉を開閉動作させる扉制御手段である。
【００１６】
また、図２は本実施の形態１に係る入退室管理システムの機能を説明する概念図であり、図５に示した従来の概念図と比較して異なる点は在室情報管理手段８を復旧させるための復旧手段１０１を備えた点のみである。この復旧手段１０１は保守後（初期化後）または通行者１が区画内にいる途中から運用を開始（通行順序制御を開始）した場合に区画間を通行しようとして発生する通行不正エラーを防ぐ役割をもつ。
【００１７】
次に、図３は本実施の形態１に係る入退室管理システムの動作を示すフローチャートである。図３において、ステップＳ３１では、通行者１は区画Ａ４に対する通行操作（カード・指紋・暗証番号等の入力）をカードリーダー等の個人情報読取装置９に対して行い、区画Ａ４内へ入室する。このとき、通行者１に対する在室情報管理手段８における在室情報管理データは更新され、通行者１は区画Ａ４に在室していることになる。
【００１８】
ステップＳ３２では、ステップＳ３１に続いて、通行者１は区画Ｂ５に対する通行操作（カード・指紋・暗証番号等の入力）を個人情報読取装置９に対して行い、区画Ｂ５内へ入室する。このとき、通行者１に対する在室情報管理手段８における在室情報管理データは再度更新され、通行者１は区画Ｂ５に在室していることになる。
【００１９】
ステップＳ３３では、入退室管理システムの保守作業に伴い初期化を行う。このとき、通行者１に対する在室情報管理手段８における在室情報管理データはクリアされる。また、保守員による外部からの入力により初期化されて在室情報管理データがクリアされたことが通行許可判定手段１２に対して通知される。
【００２０】
次に、ステップＳ３４で、通行者１はステップＳ３３での保守作業完了後に区画Ｃ６に対する通行操作を行う。
ステップＳ３５で、個人情報読取手段９の個人識別情報２の読み取りにより認識された通行者１の現在の在室位置情報と、在室情報管理手段８における在室情報管理データの在室情報とが一致しないため通常なら不正エラーとなるが、本実施の形態１では、初期化通知後の初回の各個人識別情報の読み取りに対しては、照合を行うことなく個人識別情報２の入力された個人情報識別手段９に対応する開閉扉１４を通行可能とする。
【００２１】
このとき、復旧手段１０１により、在室情報管理手段８は、初期化通知後の初回の個人情報読取手段９により読み取られた個人識別情報２に基づいて、通行者１の在室位置情報の管理を復旧する。したがって、通行者１に対する在室情報管理手段８における在室情報管理データは更新され、通行者１は区画Ｃ６に在室していることになる。
【００２２】
よって、ステップＳ３６では、通行者１は区画Ｄ７に対する通行操作時には、保守前の通行順序制御状態がすでに回復されており、通行許可判定手段１２はステップＳ３５で新たに更新された在室情報管理データを通行者１の在室位置情報の履歴として在室位置履歴データベース１０に格納しているため、この在室位置履歴データベース１０と開閉扉設定データベース１１に格納されている開閉扉設定情報とを照合させることにより次に通行可能である有効開閉扉を特定し、個人識別情報２の入力のあった個人情報読取手段９に対応する開閉扉１４が有効開閉扉であるか否かにより通行の可否を判定されることとなる。
【００２３】
以上のように、本実施の形態１に係る入退室管理システムによれば、保守作業が完了または通行順序制御の運用開始直後の通行者１に対して在室管理情報を現在の状態との合わせ込みにより通常の状態として、通行不正エラーを発生させずに、通行させることができる。
【００２４】
実施の形態２．
本実施の形態２に係る入退室管理システムの構成は上記実施の形態１の構成である図１とほとんど変わらないが、本実施の形態２では通行許可判定手段１２に対する外部からの初期化通知は行われない。また、本実施の形態２に係る入退室管理システムの機能概念図においても、図２とほとんど変わらないが復旧手段１０１の代わりに、機能の異なる復旧手段１０２を備える。
【００２５】
図４は本実施の形態２に係る入退室管理システムの動作を示したフローチャートであり、以下に本実施の形態２の動作について図４を参照しながら説明する。図４において、ステップＳ４１では、何らかの原因により通行不正エラーを発生している通行者１が区画Ａ４に在室しているとき、即ち、通行許可判定手段１２が所定時間内に所定回数以上の通行不可を判定したとき、復旧手段１０２を実施（通行順序制御機能を停止）する。
【００２６】
よって、以後は通行順序制御機能が復旧されるまで通行者１に対する在室情報管理手段８における在室情報管理データは更新されない。したがって、通行許可判定手段１２は、個人情報読取手段９により読み取られた個人識別情報２が通行不可を発生した個人識別情報２である場合に、照合を行うことなく初回のみ個人識別情報２の入力された個人識別読取手段９に対応する開閉扉１４を通行可能であると判定する。
【００２７】
ステップＳ４２では、通行者１は区画Ｂ５に対する通行操作（カード・指紋・暗証番号等の入力）を個人情報読取装置９に対して行い、区画Ｂ５内へ入室する。つまり、復旧手段１０２は機能停止により、通行順序制御機能は停止しているために通行者１は入室が可能となった。
【００２８】
ステップＳ４３では、ステップＳ４２における通行操作により、在室情報管理手段８が、通行許可判定手段１２が所定時間内に所定回数以上の通行不可を判定した後の初回の個人情報読取手段９により読み取った個人識別情報２に基づいて、個人識別情報２の保有者（通行者）１の在室位置情報の管理を復旧する。つまり、復旧手段１０２を実施（通行順序制御機能を復旧）する。したがって、通行者１に対する在室情報管理手段８における在室情報管理データは更新され、通行者１は区画Ｂ５に在室していることになる。
【００２９】
よって、ステップＳ４４では、通行者１は区画Ｃ６に対する通行操作時には、保守前の通行順序制御状態がすでに回復されており、通行許可判定手段１２はステップＳ４３で新たに更新された在室情報管理データを通行者１の在室位置情報の履歴として在室位置履歴データベース１０に格納しているため、この在室位置履歴データベース１０と開閉扉設定データベース１１に格納されている開閉扉設定情報とを照合させることにより次に通行可能である有効開閉扉を特定し、個人識別情報２の入力のあった個人情報読取手段９に対応する開閉扉１４が有効開閉扉であるか否かにより通行の可否を判定されることとなる。
【００３０】
以上のように、本実施の形態２に係る入退室管理システムによれば、通行不正エラーの通行者が多数存在する場合、対象者すべてに対する通行順序制御機能を一時的に停止し、通行操作のみで通行させる。その後、通行順序制御機能を復旧し、在室管理情報を現在の状態と合わせ込みを行うことで通常状態に復旧させることができる。
【００３１】
【発明の効果】
この発明に係る入退室管理システムによれば、通行許可判定手段は外部より在室情報管理手段における在室位置情報が初期化されたとの通知を受けたとき、個人情報読取手段の各個人識別情報ごとの読み取りが在室位置情報の初期化通知後の初回である場合に、照合を行うことなく個人識別情報の入力された個人情報識別手段に対応する開閉扉を通行可能と判定し、在室情報管理手段は初期化通知後の初回の個人情報読取手段により読み取られた個人識別情報に基づいて、該個人識別情報の保有者の在室位置情報の管理を復旧することにより、開閉扉が動作しなくなる状況を防ぐことができる。
【００３２】
また、通行許可判定手段は、所定時間内に所定回数以上の通行不可であると判定したとき、個人情報読取手段により読み取られた個人識別情報が通行不可を発生した個人識別情報である場合に、照合を行うことなく初回のみ個人識別情報の入力された個人識別読取手段に対応する開閉扉を通行可能であると判定し、在室情報管理手段は通行許可判定手段が所定時間内に所定回数以上の通行不可であると判定した後の初回の個人情報読取手段により読み取られた個人識別情報に基づいて、該個人識別情報の保有者の在室位置情報の管理を復旧することにより、通行エラーを解消すると共に、入退室管理を再開させることができる。
【図面の簡単な説明】
【図１】この発明の実施の形態１に係る入退室管理システムの構成図である。
【図２】この発明の実施の形態１に係る入退室管理システムの機能を説明する概念図である。
【図３】この発明の実施の形態１に係る入退室管理システムの動作を示すフローチャートである。
【図４】この発明の実施の形態２に係る入退室管理システムの動作を示すフローチャートである。
【図５】従来の入退室管理システムの機能を説明する概念図である。
【図６】従来の入退室管理システムの動作を示すフローチャートである。
【符号の説明】
１　通行者、２　個人識別情報、３　区画群、４〜７　区画（部屋）、８　在室情報管理手段、９　カードリーダー（個人情報読取手段）、１０　在室位置履歴データベース、１１　開閉扉設定データベース、１２　通行許可判定手段、１３　扉制御手段、１４　開閉扉、１０１　復旧手段、１０２　復旧手段。
【図１】
2004094328.tif 000003
【図２】
2004094328.tif 000004
【図３】
2004094328.tif 000005
【図４】
2004094328.tif 000006
【図５】
2004094328.tif 000007
【図６】
2004094328.tif 000008